(57)【特許請求の範囲】
【請求項１】
椅子本体と、この椅子本体に設けられた肘掛けとを具備するものにおいて、
前記肘掛けが、肘を載せることができる肘当てと、鉛直方向に対して傾斜した互いに平行な複数の肘桿と、上端を肘当てに固定し且つ肘桿に案内される筒状の案内部材とを具備し、これら肘桿が前記肘当てをその傾斜方向に沿って上下動可能に支持するものであり、
前記案内部材が、肘桿と同数の筒状体を備え、これら筒状体の上端部同士及び下端部同士を結合したものであり、
前記各肘桿の下端部同士を連結していることを特徴とする椅子。
【請求項２】
肘桿が、その上端部が下端部より前方に位置するように、鉛直方向に対して傾斜していることを特徴とする請求項１記載の椅子。
【請求項３】
肘桿が、その上端部が下端部より左右幅方向において外側に位置するように、鉛直方向に対して傾斜していることを特徴とする請求項１記載の椅子。
【請求項４】
肘桿を、椅子本体に取り付けるとともに、これら肘桿に、前記肘当てに設けられた案内部材を、上下動可能に支持させていることを特徴とする請求項１、２または３記載の椅子。
【請求項５】
椅子本体と、この椅子本体に設けられた肘掛けとを具備するものにおいて、
前記肘掛けが、肘を載せることができる肘当てと、上端部が下端部より左右幅方向において外側に位置するように、鉛直方向に対して傾斜した互いに平行な複数の肘桿と、上端を肘当てに固定し且つ肘桿に案内される筒状の案内部材とを具備し、前記肘桿が肘当てをその傾斜方向に沿って上下動可能に支持するものであり、
前記案内部材が、肘桿と同数の筒状体を備え、これら筒状体の上端部同士及び下端部同士を結合したものであり、
前記各肘桿の下端部同士を連結していることを特徴とする椅子。
【発明の詳細な説明】
【０００１】
【発明の属する技術分野】
本発明は、肘掛けを有する椅子に関する。
【０００２】
【従来の技術】
従来、椅子本体と、この椅子本体に設けられた肘掛けとを具備する椅子において、前記肘掛けを構成する肘当てを、上端部が下端部より前方に位置するように、鉛直方向に対して傾斜した一本の肘桿によって、該肘桿の傾斜方向に沿って上下にスライド動作可能に支持させたものが知られている。
【０００３】
【発明が解決しようとする課題】
ところが、上述したような肘掛けであると、肘当ての重量や肘等の荷重を、斜めに傾斜した一本の肘桿が受けることとなるので、肘掛けの安定性が悪かったり、該肘桿の強度を上げる必要があったりした。このため、肘桿の素材によっては、大幅に重量が増加することとなり、これに伴って肘掛けと椅子本体とを複雑な結合手段により結合する必要があったり、椅子全体の重量増加を招いたりしていた。
【０００４】
また、一本の肘桿によって、前記肘当てをスライド動作させているので、肘当てのスライド中にこぜることがあり、該肘当ての動作の確実性に欠けるきらいがあった。
【０００５】
さらに言えば、前記肘当ては、上下のスライド動作と同時に前後に移動するものの、左右幅方向に移動させることができるものではないので、着座者の体格に違いによって、左右幅方向に位置が変化する肘を好適に支えることができなかった。
【０００６】
【課題を解決するための手段】
そこで、本発明は、上述した不具合に鑑みて、肘当てを、鉛直方向に対して傾斜した互いに平行な複数の肘桿により、該肘桿の傾斜方向に沿って上下動可能に支持させることにより、肘当ての安定性や動作円滑性を向上させるとともに、該肘当てを、使用者の着座姿勢や体格に合わせて使いやすい位置に設定することができるようにしたものである。
【０００７】
【発明の実施の形態】
すなわち、本発明の椅子は椅子本体と、この椅子本体に設けられた肘掛けとを具備するものにおいて、前記肘掛けが、肘を載せることができる肘当てと、鉛直方向に対して傾斜した互いに平行な複数の肘桿と、上端を肘当てに固定し且つ肘桿に案内される筒状の案内部材とを具備し、これら肘桿が前記肘当てをその傾斜方向に沿って上下動可能に支持するものであり、前記案内部材が、肘桿と同数の筒状体を備え、これら筒状体の上端部同士及び下端部同士を結合したものであり、
前記各肘桿の下端部同士を連結していることを特徴とする。
【０００８】
このようなものであれば、肘当ての重量や肘等の荷重を、複数の肘桿に分散させて支持させることができるようになる。この結果、使用時における肘当ての安定性を向上させることができるので、使用者に好適な使用感を与えることができるようになる。
【０００９】
また、個々の肘桿に、比較的軽い素材を用いることができるようになるので、椅子全体の軽量化を図れるようになる。逆に、椅子全体の重量増加を招かずに肘掛けの強度を上げることもできるようになる。
【００１０】
さらに、肘当てを、複数の肘桿によって、これら肘桿の傾斜方向に沿って上下動可能にしているので、こぜにくくなる等、動作円滑性に対する信頼性が向上するだけでなく、高さ調整と同時に使用者の着座姿勢や体格に合わせて、使いやすい位置に該肘当てを設定することができるようになる。
【００１１】
オフィス等で増加しているＯＡ機器の操作において、特に机上にあるキーボード等を操作する場合には、椅子に座った着座者は腕を前方に延ばして作業することとなるが、その際、肩を中心に上方に回転しながら前方に移動することとなる肘を、肘当てが好適に支えて腕の負担を軽減できるようにするには、肘桿が、その上端部が下端部より前方に位置するように、鉛直方向に対して傾斜しているものが望ましい。
【００１２】
特に体格の大きい人が椅子に着座した場合に、体格が小さい人より比較的外側かつ上方に位置することとなる肘を好適に支持し、体格に合わせた肘当ての位置調整を実現させるには、椅子本体と、この椅子本体に設けられた肘掛けとを具備するものにおいて、前記肘掛けが、肘を載せることができる肘当てと、上端部が下端部より左右幅方向において外側に位置するように、鉛直方向に対して傾斜した互いに平行な複数の肘桿と、上端を肘当てに固定し且つ肘桿に案内される筒状の案内部材とを具備し、前記肘桿が肘当てをその傾斜方向に沿って上下動可能に支持するものであり、前記案内部材が、肘桿と同数の筒状体を備え、これら筒状体の上端部同士及び下端部同士を結合したものであり、前記各肘桿の下端部同士を連結しているものが望ましい。
【００１３】
具体的な実施の形態としては、肘桿を、椅子本体に取り付けるとともに、これら肘桿に、前記肘当てに設けられた案内部材を、上下動可能に支持させているものが挙げられる。
【００１４】
【実施例】
以下、本発明の一実施例を、図面を参照して説明する。
【００１５】
図１に示す椅子１０は、椅子本体２と、この椅子本体２の両側部に取り付けた一対の肘掛け３とからなるものである。
【００１６】
椅子本体２は、脚羽根２１の中央から起立する支柱２２の上端部に座２３を支持させ、この座２３の後方に背凭れ２４を取り付けたもので、適宜の機構により、背凭れ２４がロッキング動作し得るようにしているものである。
【００１７】
肘掛け３は、肘を載せることができる肘当て３１と、座に下端部を固定されて、前記肘当て３１を支持する支持体４とを具備するものである。
【００１８】
肘当て３１は、平面視形状が、前後に長い概略矩形状をなす台座３２と、この台座３２の上面を覆い隠すように取り付けられたクッション素材からなるパッド３３とからなるものである。
【００１９】
支持体４は、上端部が下端部より前方に位置するように鉛直方向に対して傾斜した互いに平行な二本の肘桿４１と、肘当て３１と肘桿４１の間に介在する筒状の案内部材４２とを具備するものである。
【００２０】
肘桿４１は、円柱形状のものであり、前後に並ぶように離間させて配置してある。しかして、各肘桿４１の下端部同士を連結するように、これら肘桿４１に一体に板状の取付部材５を設けており、この取付部材５を、座２３を構成する座受け２５の側部裏面に固定している。
【００２１】
案内部材４２は、肘当て３１の下面中央部に上端を固定した、前後に対をなす筒状体４３と、これら筒状体４３の上端部同士及び下端部同士を結合する結合板４４とからなり、その中央部には左右に貫通する貫通孔４５が形成されている。筒状体４３は、内周面が案内孔４６を形成している丸パイプであり、その内周形状は、前記肘桿４１の外周形状に略一致している。そして、前記案内部材４２が、これら案内孔４６に肘桿４１をそれぞれ下方から挿入させて、図３に断面図で示すように、肘桿４１に上下にスライド可能に嵌め合わされている。なお、このように、案内部材４６が肘桿４１に外側からかぶさるものではなく、逆に、肘桿４１が、案内部材４６に外側からかぶさるように構成してもよい。
【００２２】
しかして、これら肘桿４１及び案内部材４２によって肘当て３１は、図２に示すように、上下動するのと同時に前後動する。この肘掛け３の作用を以下に具体的に説明する。
【００２３】
まず、肘当て３１を上方または下方に引き上げまたは押し下げると、この肘当て３１に上端部が固定され、肘桿４１と同一傾斜角度を有する案内部材４２は、肘桿４１に案内されて、円滑に上下にスライド移動する。この時、案内部材４２とともに肘当て３１は同一姿勢を保ったまま、上下にスライド移動することとなる。この結果、肘当て３１は、上下動するのと同時に前後動することとなる。
【００２４】
したがって、本実施例によれば、肘当て３１の重量や肘等の荷重を、二本の肘桿４１に分散させて支持させることができるようになる。この結果、使用時における肘当て３１の安定性を向上させることができるので、使用者に好適な使用感を与えることができるようになる。
【００２５】
また、肘桿４１に、比較的軽い素材を用いることができるようになるので、椅子１０全体の軽量化を図れるようになる。逆に、椅子１０全体の重量増加を招かずに肘掛け３の強度を上げることもできるようになる。
【００２６】
さらに、肘桿４１を傾斜させている方向と、筒状体４３を並べている方向とを一致させて、案内部材４２を肘桿４１に沿って上下にスライド移動可能にしているので、構造的な強度と動作円滑性とを向上させることが容易にできる。また、肘当て４１を、上昇させると同時に前方に位置させるようにしているので、机上にあるキーボードの操作等において、着座者が腕を前方に位置させた際に、上昇すると同時に前方に位置することとなる肘を、肘当て３１を好適な位置に設定させて、支えることができるようになる。
【００２７】
加えて、案内部材が、肘桿４１に外側からかぶさるとともに、肘桿４１に対して上方に位置するものであるので、肘桿４１の露出をできるだけ抑えて、外観の向上を図ることができる。
【００２８】
なお、各部の具体的な構成は、上述した実施例に限られるものではない。例えば、変形例としては、図４、図５及び図６に示すように、肘掛け３を構成する肘当て３１を、上端部が下端部より左右幅方向において外側に位置するように、鉛直方向に対して傾斜した互いに平行な二本の肘桿４１により、該肘桿４１の傾斜方向に沿って、上下にスライド移動可能に支持させたものを挙げることができる。この場合、これら肘桿４１によって肘当て３１は、上下動するのと同時に左右幅方向に移動するので、特に体格の大きい人が椅子１０に着座した場合に、体格が小さい人より比較的外側かつ上方に位置することとなる肘を好適に支持することができるようになり、体格に合わせた肘当て３１の位置調整を簡単な構成で無理なく実現できるようになる。
【００２９】
また、肘当てを、上端部が下端部より前方にかつ左右幅方向において外側に位置するように、鉛直方向に対し傾斜した互いに平行な二本の肘桿により、該肘桿の傾斜方向に沿って、上下にスライド移動可能に支持させたものを挙げることができる。この場合、これら肘桿によって肘当ては、上下動するのと同時に前後かつ左右幅方向に移動するので、体格に合わせた肘当ての位置調整を簡単な構成で実現できるとともに、腕を伸ばして作業するキーボード操作等に対応させて、肘当ての位置を設定できるようになる。
【００３０】
さらに言えば、肘当てを、上端部が下端部より後方に位置するように、鉛直方向に対して傾斜した互いに平行な二本の肘桿により、該肘桿の傾斜方向に沿って、上下にスライド移動可能に支持させたものを挙げることができる。この場合、これら肘桿によって肘当ては、上昇すると同時に後方に移動するので、椅子の背凭れに凭れて後傾姿勢で安楽な姿勢の場合に、執務姿勢の時より比較的後方に位置することとなる肘を好適に支持することができるようになり、着座着により安楽な休息姿勢を提供することができるようになる。
【００３１】
また、肘当てを、上端部が下端部より左右幅方向において外側に位置するように、鉛直方向に対して傾斜した一本の肘桿により、該肘桿の傾斜方向に沿って上下動可能に支持させたものも挙げることができる。この場合においても、前記肘当ては、上下動するのと同時に左右幅方向に移動するので、体格に合わせた肘当ての位置調整を簡単な構成で無理なく実現できるようになる。
【００３２】
その他には、案内部材を椅子本体の各側部から起立したものとするとともに、肘桿を肘当ての下面に直接に設け、前記肘桿を固定された前記案内部材に上下にスライド移動可能に嵌め合わせたものを挙げることができる。このように、これら案内部材と肘桿の上下位置を上記実施例とは逆にさせたものも、肘桿が肘当てをその傾斜方向に沿って上下動可能に支持するものであり、上述した効果を同等に奏させることができる。
【００３３】
さらに言えば、案内孔が、二本の肘桿をまとめて嵌め合わせることができるように、その内周形状が長円状をなすものでもよい。
【００３４】
さらに、肘桿を角柱とする等、その断面形状は限定されるものではなく、この場合、案内孔を、該肘桿を嵌め合わせることができるような内周形状をなすものとすれば、上述した効果を奏させることができる。
【００３５】
また、本実施例のように、肘当てを案内部材に案内させて上下動させずに、別段の構成を用いて該肘当てを上下動させてもよい。さらに、肘桿の数や、肘当ての形状等も上述した実施例に限定されるものではない。
【００３６】
その他の構成も、本発明を逸脱しない範囲で種々変更可能である。
【００３７】
【発明の効果】
以上に詳述したように、本発明にかかる椅子は、椅子本体と、この椅子本体に設けられた肘掛けとを具備するものにおいて、前記肘掛けを、肘を載せることができる肘当てと、鉛直方向に対して傾斜した互いに平行な複数の肘桿とを具備するものとし、これら肘桿が前記肘当てをその傾斜方向に沿って上下動可能に支持することを特徴とする。
【００３８】
したがって、肘当ての重量や肘等の荷重を、複数の肘桿に分散させて支持させることができるようになる。この結果、使用時における肘当ての安定性を向上させることができるので、使用者に好適な使用感を与えることができるようになる。
【００３９】
また、個々の肘桿に、比較的軽い素材を用いることができるようになるので、椅子全体の軽量化を図れるようになる。逆に、椅子全体の重量増加を招かずに肘掛けの強度を上げることもできるようになる。
【００４０】
さらに、肘当てを、複数の肘桿によって、これら肘桿の傾斜方向に沿って上下動可能にしているので、こぜにくくなる等動作円滑性に対する信頼性が向上するだけでなく、高さ調整と同時に使用者の着座姿勢や体格に合わせて、使いやすい位置に該肘当てを設定することができるようになる。
【００４１】
肘桿が、その上端部が下端部より前方に位置するように、鉛直方向に対して傾斜しているものであれば、机上にあるキーボードの操作等において、着座者が腕を前方に位置させた際に、上昇すると同時に前方に位置することとなる肘の動きに略追随して肘当てが動くので、使用に際して好ましいものとなる。
【００４２】
肘桿が、その上端部が下端部より左右幅方向において外側に位置するように、鉛直方向に対して傾斜しているものであれば、特に体格の大きい人が椅子に着座した場合に、体格が小さい人より比較的外側かつ上方に位置することとなる肘を好適に支持し、体格に合わせた肘当ての位置調整を実現することができる。
【００４３】
肘桿を、椅子本体に取り付けるとともに、これら肘桿に、前記肘当てに設けられた案内部材を、上下動可能に支持させたものであれば、肘当ての肘桿の傾斜角度に沿った上下のスライド動作を簡単な構成で実現できるようになる。
【００４４】
また、本発明にかかる椅子が、椅子本体と、この椅子本体に設けられた肘掛けとを具備するものにおいて、前記肘掛けを、肘を載せることができる肘当てと、鉛直方向に対して傾斜した肘桿とを具備するものとし、前記肘桿が、前記肘当てをその傾斜方向に沿って上下動可能に支持するとともに、これら肘桿を椅子本体に取り付けているものであれば、特に体格の大きい人が椅子に着座した場合に、体格が小さい人より比較的外側かつ上方に位置することとなる肘を好適に支持し、体格に合わせた肘当ての位置調整を顕著に実現させることができるようになる。
【図面の簡単な説明】
【図１】本発明における一実施例の椅子を示す正面図。
【図２】同実施例の椅子を示す側面図。
【図３】同実施例の肘桿を示すＡ−Ａ線断面図。
【図４】本発明における変形例の椅子を示す正面図。
【図５】同変形例の椅子を示す側面図。
【図６】同変形例の肘桿を示すＡ−Ａ線断面図
【符号の説明】
２・・・椅子本体
３・・・肘掛け
１０・・・椅子
３１・・・肘当て
４１・・・肘桿
４２・・・案内部材
【図１】
0003780803.tif 000002
【図２】
0003780803.tif 000003
【図３】
0003780803.tif 000004
【図４】
0003780803.tif 000005
【図５】
0003780803.tif 000006
【図６】
0003780803.tif 000007